(57)【特許請求の範囲】
【請求項１】
混合液を収容した容器中に下端部を挿入できる略垂直方向の回転軸棒の上端部を回転モータに支持し、混合液容器の口部口径よりも小さな外径をもつ複数の羽根車を前記回転軸棒の長さ方向に隣り合って設け、回転軸棒の長さ方向に対するピッチ角を与えたこれらの羽根車の回転運動により混合液の攪拌と混合を与える混合液攪拌装置であって、回転中心となる前記回転軸棒とこの回転軸棒の軸方向に離間された複数の板状羽根車とを１本の丸棒から削成し、前記回転軸棒の円周方向に等配的に設ける羽根をひねり加工することにより、前記回転軸棒の下端部向きの液流を発生できるピッチ角が与えられることを特徴とする混合液攪拌装置。
【発明の詳細な説明】
【技術分野】
【０００１】
本発明は容器中の混合液を攪拌混和させる装置に関し、特に口部の小さな容器内部の混合液を混和させる装置に関する。
【背景技術】
【０００２】
周知のように、成分割合が決まった顔料ペイントの調整の場合、攪拌タンク中に混合液を入れ、大きな攪拌翼で混合液を混和するが、小ロット調整に際しては、製品容器である１８リットル缶やドラム缶中で混合液を混和したい場合がある。
【０００３】
このような製品容器中での混和の場合、従来では、図１に示すように、窒素や空気などの圧縮ガスを自転ノズルＮから噴射させ、製品容器Ｖ内での攪拌を行うことが行われているが、製品容器Ｖに対しては、できる限り多量の液体が詰められているため、口部から混合液があふれるおそれがある。このため、このような圧縮ガス噴射機構では、あふれた液の回収や圧縮ガス排気機構が必要になり、これらの機構部の完全な洗浄がむずかしく、前後ロット間のコンタミネーション（混合割合の変化）が問題となりがちであった。
【０００４】
また、従来では、図２に示すように、混合液を収容した製品容器ＶをキャップＫで密封し、同製品容器Ｖを複数の揺動軸Ｓ1,Ｓ2で吊り、これらの揺動軸Ｓ1,Ｓ2を中心として揺動させることにより内部混合液を混和することが行われている。
しかしながら、この揺動軸攪拌によると、混和後のサンプル収集の際にキャップＫを外す作業が必要になり、製品容器Ｖをいちいち揺動軸Ｓ1,Ｓ2に取付けなければならないので、自動化が困難で、キャップの代わりに仮蓋を用いると、やはり前後ロット間のコンタミネーション（混合割合の変化）が問題となる。
【特許文献１】特開平６−１９８１５５公報
【特許文献２】特開平９−３２７６１８公報
【特許文献３】特開平１１−１４７０３２公報
【特許文献４】特開２０００−２１０５４７
【発明の開示】
【発明が解決しようとする課題】
【０００５】
本発明の目的は、以上に述べたような従来の混合液攪拌装置の問題に鑑み、キャップなどで閉じなくとも、口部から混合液があふれることがなく、製品容器中で収容混合液を充分に混和できる自動化が可能な混合液攪拌装置を得るにある。
【課題を解決するための手段】
【０００６】
この目的を達成するため、本発明は、混合液を収容した容器中に下端部を挿入できる略垂直方向の回転軸棒の上端部を回転モータに支持し、混合液容器の口部口径よりも小さな外径をもつ複数の羽根車を前記回転軸棒の長さ方向に隣り合って設け、回転軸棒の長さ方向に対するピッチ角を与えたこれらの羽根車の回転運動により混合液の攪拌と混合を与える混合液攪拌装置であって、回転中心となる前記回転軸棒とこの回転軸棒の軸方向に離間された複数の板状羽根車とを１本の丸棒から削成し、前記回転軸棒の円周方向に等配的に設ける羽根をひねり加工することにより、前記回転軸棒の下端部向きの液流を発生できるピッチ角が与えられる混合液攪拌装置を提案するものである。
【発明の効果】
【０００７】
本発明によれば、回転モータに上端部を支持される回転軸棒の円周方向周囲に複数の羽根を削成・ひねり加工するので、回転軸棒及び羽根の洗浄が容易で、攪拌・混合前後の混合液が混ざることがなく、羽根に対しては、回転軸棒の下端部向きの液流を発生できるピッチ角が与えられるので、混合液が容器外に溢流するおそれの少ない混合液攪拌装置を得ることができる。
【発明を実施するための最良の形態】
【０００８】
後述する本発明の好ましい実施例の説明においては、回転軸棒の円周方向に等配的に設ける羽根は、回転軸棒の角度方向中心をヒネリ中心として、下端部向きの液流が生じるように、ひねり加工することによりピッチ角が与えられる構造が説明される。
【実施例１】
【０００９】
以下、図３から図６について本発明の実施例の詳細を説明する。
図３は本発明による壱が施された液体充填装置の攪拌・混合ステーションを示し、この攪拌・混合ステーションには一定割合の複数の液体を充填された１８リットル缶Ｋ（混合液容器）が送られてくる。
【００１０】
機体フレーム１の上部にはＸ方向ガイド２に沿って移動できる可動台３が設けられ、同可動台３の下部には紙面と直角な方向のＹ方向ガイド４に沿って移動できるキャリア５が支持される。そして、このキャリア５の側面にはＺ方向即ち上下方向に伸びる案内部６が設けられ、この案内部６にはＺ方向に移動できるエアモータ７が支持してある。
【００１１】
前記エアモータ７に対しては上下方向に伸びる回転軸棒８の上端部８ａが回転可能に支持してあり、１８リットル缶Ｋの口部ｋに挿入できる同回転軸棒８の下端部８ｂには、詳細を図４及び図５に示す回転軸棒８の長さ方向に隣り合った複数の羽根車９が設けられる。
【００１２】
図４に示すように、図示例の各段の羽根車９は外径の丸棒を回転軸棒８の外径φまで削成することにより厚みの羽根９ａ〜９ｅを軸方向ピッチＰだけ離間させて形成するもので、図５に示すように、円周方向に等配された５条の軸方向スロット１０を形成して５枚づつの羽根９ａ〜９ｅを構成したものである。つまり、格段の羽根車９に対しては、各羽根９ａ〜９ｅの角度方向中心をヒネリ中心αとして回転軸棒８の長さ方向に一定のピッチ角θが与えられ、同ピッチ角θにより混合液に対して回転軸棒８の長さ方向への送り力が与えられる。
【００１３】
図３に示すように、前記１８リットル缶Ｋの側位には使用した回転軸棒８の全体を受け入れるシース１１が位置され、このシース１１中で使用済回転軸棒８及び羽根車９の洗浄が行われ、回転軸棒８及び羽根車９の浄化により後続する攪拌・混和工程への悪影響を未然に除去できる。
【００１４】
図示実施例による壱は、以上のような構成であるから、一定割合の複数の顔料液などを充填された１８リットル缶Ｋが攪拌・混合ステーションに送られると、キャリアの案内部によりエアモータ７が下降され、口部ｋから回転軸棒８が１８リットル缶Ｋの内部深くに沈降される。
ついで、エアモータ７の回転駆動により羽根車９が回転され、１８リットル缶Ｋ中の混合液が攪拌かつ混合され、均一な状態に混和されることになる。
【００１５】
つまり、図６は混合液中で回転軸棒８が回転される場合の１８リットル缶Ｋの内部での混合液の流れの状態を示し、多段にされた羽根車９の回転により回転軸棒８の長さ方向への下向きの軸方向の流れが生じる。同時に、羽根車９の回転により羽根９ａ〜９ｅの回転方向の流れも生じるが、回転軸棒８及び羽根車９は１８リットル缶Ｋの内部で偏在した位置にあるから、この回転方向の流れで、１８リットル缶Ｋの内部に混合液の大きな対流が生じる。
そして、各段の羽根車９間には層間を出入りする流れも生じるから、これらの軸方向の流れ、回転方向の流れ、層間を出入りする流れにより１８リットル缶Ｋ中の噛合液の攪拌・混合が行われ、１８リットル缶Ｋの内部の混合液の混和が行われる。
【００１６】
また、図示実施例においては、１本の丸棒から回転軸棒８及び羽根車９を削成してあるので、洗浄が困難な隙間などがなく、シース１１中で確実に洗浄でき、前後ロット間のコンタミネーション（混合割合の変化）を阻止できる。
【産業上の利用可能性】
【００１７】
なお、前記実施例の説明においては、１８リットル缶Ｋの内部混合液を攪拌・混合するものを述べたが、本発明は、ドラム缶などのように、容量の割に口部ｋの小さな容器の内部攪拌・混合に用いることができるのは改めて指摘するまでもない。
【図面の簡単な説明】
【００１８】
【図１】従来の圧縮ガス噴射による攪拌装置の説明図である。
【図２】従来の揺動軸による攪拌装置の説明図である。
【図３】本発明による混合液攪拌装置を施した液体充填装置の攪拌・混合ステーションの断面図である。
【図４】同混合液攪拌装置に用いる回転軸棒の拡大断面図である。
【図５】図４の５−５線に沿う拡大断面図である。
【図６】同混合液攪拌装置を用いた１８リットル缶内部での攪拌・混合の流れの説明図である。
【符号の説明】
【００１９】
Ｋ    １８リットル缶
ｋ    口部
７    エアモータ
８    回転軸棒
９    羽根車
９ａ〜９ｅ    羽根
１１    シース
【図１】
0004393832.tif 000002
【図２】
0004393832.tif 000003
【図３】
0004393832.tif 000004
【図４】
0004393832.tif 000005
【図５】
0004393832.tif 000006
【図６】
0004393832.tif 000007